(57)【特許請求の範囲】
【請求項１】
表示素子と、アーム及び前記アームにより機器本体と連結されたレンズを有する拡大機構とを備えた携帯情報機器であって、
前記アームは前記機器本体と回動可能に接続され、前記レンズの中心と前記表示素子の中心とが重なるように前記レンズを移動させる携帯情報機器。
【請求項２】
データ入力キーを有し、アームを畳んだ状態では拡大機構がデータ入力キーを覆い、前記アームを立てた状態では前記データ入力キーの上を開放して前記データ入力キーを使用可能とする請求項１記載の携帯情報機器。
【請求項３】
表示素子と、２枚のミラー及びレンズからなる拡大機構と、折り畳み構造とを備える携帯情報機器。
【請求項４】
表示素子の近傍に位置する第１のミラーがハーフミラーからなり、折り畳んだ状態で前記表示素子の上方に位置する請求項３記載の携帯情報機器。
【請求項５】
拡大機構におけるレンズがフレネルレンズまたは非球面レンズからなる請求項１〜４のいずれかに記載の携帯情報機器。
【請求項６】
表示素子は液晶素子または有機エレクトロルミネッセンス素子または冷陰極素子である請求項１〜５のいずれかに記載の携帯情報機器。
【発明の詳細な説明】
【０００１】
【発明の属する技術分野】
本発明は、拡大表示が可能な携帯情報機器に関するものである。
【０００２】
【従来の技術】
携帯電話で代表される携帯情報機器に使用される表示素子は、情報量の増加に伴い、表示性能の向上が求められている。３〜５インチ以上のディスプレイを搭載する携帯情報機器の場合は画素数３００×２００（６万画素）クラスの表示素子に表示される情報を直接目で読みとることが可能であるが、一方で情報端末機器の小型軽量化が求められ、一方でインターネット画像やファックスなどの情報量の大きいデータ表示能力が求められている。
【０００３】
例えば携帯電話に搭載可能な表示素子は１〜２インチが限度である。すなわち表示素子のサイズ１〜２インチにおいて、画素数３５万画素（７００×５００）程度の情報を表示すると、肉眼の解像度ではもはや解像度の限界を超えており、情報の判読が困難となる。さらには腕時計サイズを実現するには、表示が最も大きな問題となる。表示素子表面に拡大レンズを設ければよいが、焦点距離を確保するためには、表示素子から、特定距離はなす必要がある。表示素子と同じ大きさの拡大レンズを使用すると、表示部分が見難いという制限がある。
【０００４】
【発明が解決しようとする課題】
表示素子の小型化、解像度の増大に対し、表示素子の前方に拡大レンズを設ければよいが、機器のコンパクト性と表示の見やすさの点で両立できない。
【０００５】
【課題を解決するための手段】
表示素子の表示内容が精細でない場合は、拡大レンズを表示素子の直前に配置し、表示内容が精細な場合は拡大レンズの焦点距離程度まで引き上げられる機能を設ける。
【０００６】
また、入力キーボードを必要とする携帯情報機器の場合は、レンズを所定の位置に引き上げることにより、入力キーボードを使用できるようにする。
【０００７】
上記のように設定を行うことにより、微小かつ高解像度の表示素子でも情報を見やすくし、かつ携帯情報機器の小型化を図ることができる。
【０００８】
【発明の実施の形態】
以下本発明の一実施例について、図面を参照しながら説明する。図１は本発明の電話機併用タイプの携帯情報端末機器を示す。本体１の一主面（表面）上には表示素子２，キーボード列３，マイク４、スピーカ５が装備されている。表示素子は１．３インチ液晶素子を使用し、表示素子中心は本体中心からマイク４の方向にずれて装備している。
【０００９】
レンズ６は４本の可動アームで本体（筐体）と連結され、回動可能になっている。レンズ６は本体とほぼ同じ大きさをしており、４本のアームをたたむと、レンズ６は本体１のほぼ全面を覆い、本体のカバーまたは蓋を兼ねることになる。
【００１０】
アーム７を立てると、アーム７は本体との接続部分を中心に回転し、それに伴い拡大機構のレンズ６は本体１と平行を保って移動し、第１図に示すようにスピーカ５の方向に移動する。移動したレンズ６の中心と表示素子２の中心が重なるように予め両者を配置することにより、表示素子が視野内いっぱいに拡大された状態で最も見易くなる。このように、アームをほぼ垂直にたてることで、最も拡大表示状態となる。
【００１１】
通常、携帯情報機器は表示素子が本体の中心より上部に存在しているため、単にレンズを大ききするだけでは、表示素子の配置の非対称ゆえに最適な拡大が難しい。本発明のように、アーム７を立てることにより、レンズ６を焦点近傍に配置すると共にレンズ６の中心と表示素子の中心位置を合わせることが可能となる。
【００１２】
また、表示素子２が長方形の素子であれば、レンズ６の長手方向に向きを合わせることにより、レンズ６を通して観察する表示素子２の認識率が向上する。
【００１３】
また、アーム７を横に寝かせているときは、レンズ６は本体の大半の部分をカバーしているが、アーム７を立てることにより、レンズ６は移動し、レンズ６にカバーされていたキーボード列またはスイッチ列が表れ、使用可能となる。
【００１４】
本体１に電話機能が設けられている場合、レンズにキーボードもしくはスイッチ列がカバーされていると使用が困難となる場合が生じる。このような場合は電話機能のうちマイク４とスピーカ５をレンズ６のカバー範囲から外に配置するか、または本体１の裏側に配置することにより、問題を解決することができる。
【００１５】
尚、アームと主面とのなす角度が９０度を越えないように、スピーカ５近傍の主面上（または側面上）にアーム７を係止する係止部をもうけてもよい。
【００１６】
これにより、最大拡大状態を容易に確保することができる。
図２は表示素子２の近傍のみに拡大機構を設けたものである。拡大機構１０は少なくとも表示素子２よりサイズが大きく、本体１の上面もしくは両側に格納できる機構になっている。このようにすることにより、電話のマイクやスピーカの位置を気にすることなく本体に対し同一側で操作を行うことができる。また、表示素子２の表示内容が高精細表示でない場合は、拡大機構を用いる必要はなく、拡大機構を閉じた状態または少し出した状態で電話またはキーの操作を行うことができる。
【００１７】
図３は図２で示した拡大機構１０の機構の原理を示す図である。
拡大機構はレンズ１２、いわゆる蛇腹機構１１とからなっている。蛇腹機構はレンズ１２の少なくとも２辺に配置され、支持されている。この蛇腹機構を本体１の上部に設置することにより、蛇腹機構１１を閉じた状態で、持ち運びがコンパクト、かつ高精細情報は容易に観察することが可能となる。
【００１８】
図４は腕時計タイプの携帯情報機器の概念図である。表示素子２２に表示する内容が、例えば時計の時刻表示のような情報量の少ない表示を行う場合は拡大機構２３は使用せず、たたんだ状態にする。また表示内容が映像または多くの文字表示を必要とする場合は拡大機構２３を最大倍率の位置までのばして、顔を近づけて観察するようにすればよい。
【００１９】
本発明に用いられるレンズの材料はアクリル、ポリカーボネートなどの硬度が高く透明な材料を用いることにより軽量化を図ることができる。
【００２０】
また、レンズにフレネルレンズを使用することにより、さらに軽量化を図ることができる。
【００２１】
図３では拡大機構に蛇腹構造を示したが、蛇腹構造のみならず、ロッドアンテナのように、スライド機構を設けてもよい。
【００２２】
図５は本発明の他の実施例を示す図である。
拡大機構は、図５に示すように、ミラー（１）３３、ミラー（２）３４の２枚のミラーとレンズ３５が各辺で連結し、本体と可動できるように取り付けられている。図５（ａ）は拡大機構を伸ばした状態で、表示素子に表示される情報はミラー（１）３３とミラー（２）３４により反射され、レンズ３５を通して観察することができる。表示素子３２からの情報はミラー（１）３３とミラー（２）３４により反射されることにより、表示素子３２とレンズ３５間の距離を確保することができ、レンズを表示素子の上方に配置する場合と比較して拡大率を大きくすることが可能となる。
【００２３】
また拡大機構を畳んだ状態を図５（ｂ）に示す。この状態では、ミラー（１）３３が表示素子の上面を覆った状態になる。この状態では通常のミラーは不透明なので、表示素子が見えない。そこで、ミラー（１）３３をハーフミラーとすれば、拡大機構を折り畳んだ状態においても等倍で観察が可能となる。
【００２４】
尚、上記拡大機構におけるレンズは、フレネルレンズまたは非球面レンズで構成できる。また、上記表示素子は、液晶素子、有機エレクトロルミネッセンス素子、冷陰極素子のいずれかからでも構成できる。
【００２５】
【発明の効果】
以上のように本発明によれば、携帯情報機器の表示素子の小型化と高解像化に対応し、機器本体の大きさを維持し、表示素子の表示能力を大幅に向上するものである。
【図面の簡単な説明】
【図１】本発明の第１の実施例における携帯情報機器の概略構成を示す斜視図
【図２】本発明の第２の実施例における携帯情報機器の概略構成を示す斜視図
【図３】本実施例における拡大機構の一例を示す図
【図４】本発明の第３の実施例における携帯情報機器の概略構成を示す斜視図
【図５】（ａ）本発明の第４の実施例における携帯情報機器の拡大機構を伸ばした状態の概略構成を示す斜視図
（ｂ）同拡大機構を畳んだ状態の概略構成を示す斜視図
【符号の説明】
１  本体
２  表示素子
３  キーボード
４  マイク
５  スピーカ
６  レンズ
７  アーム
１１  蛇腹構造
１２，３５  レンズ
２１，３１  本体
２２，３２  表示素子
３３，３４  ミラー
【図１】
0003539161.tif 000002
【図２】
0003539161.tif 000003
【図３】
0003539161.tif 000004
【図４】
0003539161.tif 000005
【図５】
0003539161.tif 000006